(57)【要約】【課題】基板を重ねた後や基板を外装カバー内に収容した状態においても、カプセルの大型化を招くことなく、外部から接続端子への接触を可能にすること。【解決手段】リジット基板７１，８１，１１，１２，２１をこれらの間に介在するフレキシブル基板３１で連結されるとともに、これらリジット基板のうちの最端部に連結された照明基板７１や送信基板２１に、所定の動作の試験を実行可能にする複数の接続端子２４，７３を配置し、リジットフレキ配線基板３２を重ねた後やリジットフレキ配線基板３２を密閉容器６である外装カバー内に収容した状態においても、外部機器５０との接触を可能にする。【選択図】        図６
2006149463.tif 000002
【特許請求の範囲】
【請求項１】
導入された被検体内部の情報を被検体外部で取得するための第１及び第２の機能を各々実行する第１及び第２の機能実行手段と、
前記第１及び第２の機能実行手段が各々配置される硬性材料からなる第１及び第２のリジット基板と、
前記第１及び第２のリジット基板を接続して積層させることでリジットフレキ基板構造体を形成する軟性材料からなるフレキシブル基板と、
前記第１のリジット基板又は第２のリジット基板の一方を外部に露出した状態で前記リジットフレキ基板構造体を内部に収容する一端が有底の筒状材料からなる第１の外装部材と、
前記第１の外装部材から露出した前記第１又は第２のリジット基板を内部に収容するとともに前記第１の外装部材と嵌合して内部を封止可能に構成された一端が有底の筒状材料からなる第２の外装部材と、
前記第２の機能実行手段に対して所定の動作の試験を実行するための外部機器と前記第２の機能実行手段とを接続させる前記第１のリジット基板に設けられた接続端子と、
を備えることを特徴とする被検体内導入装置。
【請求項２】
前記第２の機能実行手段は、前記被検体内部の情報を取得するための情報取得手段か、若しくは、前記情報取得手段で取得した情報を前記被検体外部へ無線送信可能とする無線送信手段かを備え、
前記接続端子は、前記被検体内部の情報を取得する動作の試験を実行するための情報取得用接続端子か、若しくは、前記情報取得手段で取得した情報を前記被検体外部へ無線送信可能とする動作の試験を実行するための送信用接続端子を備えることを特徴とする請求項１に記載の被検体内導入装置。
【請求項３】
前記情報取得手段は、前記被検体内部を照明する照明光を出射する照明手段と前記照明手段からの照明光で照明されて得た前記被検体内部の像を撮像する撮像手段とのうちの少なくとも一方を有することを特徴とする請求項２に記載の被検体内導入装置。
【発明の詳細な説明】
【技術分野】
【０００１】
本発明は、被検体内に導入されて被検体内の情報を収集するための所定機能を実行する各種の機能実行手段を備え、これら機能実行手段を配置させた基板を収容してなる、たとえば飲み込み型のカプセル型内視鏡などの被検体内導入装置に関するものである。
【背景技術】
【０００２】
近年、内視鏡の分野では、撮像機能と無線機能とが装備されたカプセル型内視鏡が登場している。このカプセル型内視鏡は、観察（検査）のために被検体である被検者に飲み込まれた後、被検者の生体から自然排出されるまでの観察期間、胃、小腸などの臓器の内部（体腔内）をその蠕動運動に伴って移動し、撮像機能を用いて順次撮像する構成である。
【０００３】
また、これら臓器内の移動によるこの観察期間、カプセル型内視鏡によって体腔内で撮像された画像データは、順次Ｂｌｕｅｔｏｏｔｈなどの無線機能により、被検体の外部に設けられた外部装置に送信され、外部装置内に設けられたメモリに蓄積される。被検者がこの無線機能とメモリ機能を備えた外部装置を携帯することにより、被検者は、カプセル型内視鏡を飲み込んだ後、排出されるまでの観察期間、不自由を被ることなく行動が可能になる。観察後は、医者もしくは看護士によって、外部装置のメモリに蓄積された画像データに基づいて、体腔内の画像をディスプレイなどの表示手段に表示させて診断を行うことができる。
【０００４】
この種のカプセル型内視鏡では、上記機能を実行するために、たとえば特許文献１に示すような飲み込み型のものがある。このカプセル型内視鏡は、照明体、イメージセンサ、これらの駆動回路、電池などを含む電源部およびイメージセンサからの画像データを外部装置に送信するための送信部などを、たとえばＩＣ構成でそれぞれ基板に配置し、これら基板をストリップ基板で接続するとともに、これらの部位を密閉したカプセル形状の容器内に収容したものが提案されている。
【０００５】
【特許文献１】国際公開第ＷＯ  ０２／１０２２２４号パンフレット
【発明の開示】
【発明が解決しようとする課題】
【０００６】
このようなカプセル型内視鏡においては、製造工程の途中や完成後の検査を行うためのテスト用接続端子を基板に設けることがある。しかしながら、カプセル型内視鏡のみならず、カプセル型の医療装置は、被検者に飲み込ませ、狭い体腔内を通過させる関係上、小型化が求められるために、複数の基板間の間隔は微小なものとなってしまい、複数の基板が重なり合う面へテスト用接続端子を形成した場合には、基板を重ねて積層してしまった後や完成状態に近い、たとえば基板を容器内に収容した状態でのテスト用接続端子への接触が困難な場合がある。また、これを回避するためには基板間の間隔を長くしなければならず、カプセルの大型化を招く恐れがあるという問題があった。
【０００７】
本発明は、上記問題に鑑みてなされたものであって、基板を重ねた後や基板を外装カバー内に収容した状態においても、カプセルの大型化を招くことなく、外部から接続端子への接触を可能にできる被検体内導入装置を提供することを目的とする。
【課題を解決するための手段】
【０００８】
上述した課題を解決し、目的を達成するために、本発明にかかる被検体内導入装置は、導入された被検体内部の情報を被検体外部で取得するための第１及び第２の機能を各々実行する第１及び第２の機能実行手段と、前記第１及び第２の機能実行手段が各々配置される硬性材料からなる第１及び第２のリジット基板と、前記第１及び第２のリジット基板を接続して積層させることでリジットフレキ基板構造体を形成する軟性材料からなるフレキシブル基板と、前記第１のリジット基板又は第２のリジット基板の一方を外部に露出した状態で前記リジットフレキ基板構造体を内部に収容する一端が有底の筒状材料からなる第１の外装部材と、前記第１の外装部材から露出した前記第１又は第２のリジット基板を内部に収容するとともに前記第１の外装部材と嵌合して内部を封止可能に構成された一端が有底の筒状材料からなる第２の外装部材と、前記第２の機能実行手段に対して所定の動作の試験を実行するための外部機器と前記第２の機能実行手段とを接続させる前記第１のリジット基板に設けられた接続端子と、を備えることを特徴とする。
【０００９】
また、請求項２の発明にかかる被検体内導入装置は、上記発明において、前記第２の機能実行手段は、前記被検体内部の情報を取得するための情報取得手段か、若しくは、前記情報取得手段で取得した情報を前記被検体外部へ無線送信可能とする無線送信手段かを備え、前記接続端子は、前記被検体内部の情報を取得する動作の試験を実行するための情報取得用接続端子か、若しくは、前記情報取得手段で取得した情報を前記被検体外部へ無線送信可能とする動作の試験を実行するための送信用接続端子を備えることを特徴とする。
【００１０】
また、請求項３の発明にかかる被検体内導入装置は、上記発明において、前記情報取得手段は、前記被検体内部を照明する照明光を出射する照明手段と前記照明手段からの照明光で照明されて得た前記被検体内部の像を撮像する撮像手段とのうちの少なくとも一方を有することを特徴とする。
【発明の効果】
【００１１】
本発明にかかる被検体内導入装置は、外部機器と第２の機能実行手段とを接続させる第１のリジット基板に、接続された外部機器による所定の動作の試験を実行可能にするための接続端子を配置したので、基板を重ねた後や基板を外装カバー内に収容した状態においても、カプセルの大型化を招くことなく、外部機器から接続端子への接触を可能にできるという効果を奏する。
【発明を実施するための最良の形態】
【００１２】
以下に、本発明にかかる被検体内導入装置の実施の形態を図１〜図７の図面に基づいて詳細に説明する。なお、本発明は、これらの実施の形態に限定されるものではなく、本発明の要旨を逸脱しない範囲で種々の変更実施の形態が可能である。
【００１３】
（実施の形態１）
図１は、本発明にかかる被検体内導入装置を含む無線型被検体内情報取得システムの全体構成を示す模式図である。なお、この無線型被検体内情報取得システムでは、被検体内導入装置として、被検体である人間の口などから体腔内に導入して、体腔内の被検部位を撮影するカプセル型内視鏡を一例として説明する。図１において、無線型被検体内情報取得システムは、無線受信機能を有する受信装置２と、被検体１内に導入され、体腔内画像を撮像して受信装置２に対して画像信号などのデータ送信を行うカプセル型内視鏡３とを備える。また、無線型被検体内情報取得システムは、受信装置２が受信した画像信号に基づいて体腔内画像を表示する表示装置４と、受信装置２と表示装置４との間でデータの受け渡しを行うための携帯型記録媒体５とを備える。
【００１４】
受信装置２は、被検体１によって着用される受信ジャケット２ａと、受信される無線信号の処理などを行う外部装置２ｂとを備え、いずれも被検体１、たとえば図示しないベルトなどによって被検体１の腰部に固定されて携帯される。すなわち、受信装置２は、カプセル型内視鏡３から無線送信された体腔内の画像データを受信する機能を有しており、受信ジャケット２ａは、受信用アンテナＡ１〜Ａｎを備えるとともに、被検体１によって着用可能な形状に構成され、外部装置２ｂは、受信ジャケット２ａの受信用アンテナＡ１〜Ａｎを介して受信された無線信号の処理などを行う。
【００１５】
表示装置４は、カプセル型内視鏡３によって撮像された体腔内画像などを表示するためのものであり、携帯型記録媒体５によって得られるデータに基づいて画像表示を行うワークステーションなどのような構成を有する。具体的には、表示装置４は、ＣＲＴディスプレイ、液晶ディスプレイなどによって直接画像を表示する構成としても良いし、プリンタなどのように、他の媒体に画像を出力する構成としても良い。
【００１６】
携帯型記録媒体５は、外部装置２ｂおよび表示装置４に対して着脱可能であって、両者に対して挿着された時に情報の出力または記録が可能な構造を有する。この実施の形態では、携帯型記録媒体５は、カプセル型内視鏡３が被検体１の体腔内を移動している間は、外部装置２ｂに挿着されてカプセル型内視鏡３から送信されるデータを記録する。そして、カプセル型内視鏡３が被検体１から排出された後、つまり、被検体１の内部の撮像が終了した後には、外部装置２ｂから取り出されて表示装置４に挿着され、この表示装置４によって、携帯型記録媒体５に記録されたデータが読み出される構成を有する。たとえば、外部装置２ｂと表示装置４とのデータの受け渡しを、コンパクトフラッシュ（登録商標）メモリなどから構成される携帯型記録媒体５によって行うことで、外部装置２ｂと表示装置４との間が有線で直接接続された場合よりも、被検体１が体腔内の撮影中に自由に動作することが可能となる。なお、ここでは、外部装置２ｂと表示装置４との間のデータの受け渡しに携帯型記録媒体５を使用したが、必ずしもこれに限らず、たとえば外部装置２ｂに内蔵型の他の記録装置、たとえばハードディスクを用い、表示装置４との間のデータの受け渡しのために、双方を有線または無線接続するように構成してもよい。
【００１７】
図２は、本発明にかかる被検体内導入装置（カプセル型内視鏡３）の構成を示す側断面図であり、図３は、図２に示したリジットフレキ配線基板を展開した上面図であり、図４は、図２に示した照明基板を前面（図中、先端カバー側）から見た断面図であり、図５は、図２に示した送信基板を後面（図中、後端部側）から見た断面図である。
【００１８】
カプセル型内視鏡３は、図２に示すように、カプセル形状に形成された外装部材であって内部を封止する密閉容器６と、予め設定された所定の機能を実行するための機能実行手段の１つとして、被検体内部の情報を取得する機能を得るために設けられた体腔内を被検部位を照明するための照明光を出射する照明手段７と、照明光による反射光を受光して被検部位を撮像する撮像手段８、さらに、照明手段７と撮像手段８の駆動制御および信号処理を行う制御手段９、各機能実行手段を駆動するための駆動電力を蓄積する蓄電手段１０、及び撮像手段８よって取得された画像データを被検体外部に無線送信する無線送信手段２０を備える。
【００１９】
密閉容器６は、人が飲み込める程度の大きさのものであり、有底の略筒状形状の材料からなる２つの外装部材、つまり略半球状の先端カバー６１と、筒形状の胴部カバー６２とを弾性的に嵌合させて形成されている。照明基板７１、撮像基板８１、スイッチ基板１１、電源基板１２および送信基板２１は、後端部に略半円球形状の底部を有して先端部が円形状に開口した筒状の胴部カバー６２内に挿入されている。先端カバー６１は、略半球状のドーム形状であって、ドームの後側が円形状に開口している。この先端カバー６１は、透明性あるいは透光性を有する透明部材、たとえば光学的性能や強度を確保するのに好ましいシクロオレフィンポリマーあるいはポリマーカーボンなどで成形され、照明手段７からの照明光を密閉容器６の外部に透過することを可能にするとともに、この照明光による被検体からの反射光を内部に透過することを可能にする。
【００２０】
また、胴部カバー６２は、先端カバー６１の後側に位置して、上記機能実行手段を覆う部材である。この胴部カバー６２は、円筒状の胴部６３と、略半球状のドーム形状の後端部６４を一体に形成し、この胴部６３の前側が円形状に開口している。この胴部カバー６２は、強度を確保するのに好ましいポリサルフォンなどで形成され、照明手段７と、撮像手段８と、制御手段９と、蓄電手段１０とを胴部６３に収容し、無線送信手段２０を後端部６４に収容している。
【００２１】
先端カバー６１の開口部には、開口端部の縁に沿って円筒形状の接合端部６５が設けられている。また、胴部６３の開口部には、開口端部の縁に沿って円筒形状の接合端部６６が設けられている。各接合端部６５，６６は、先端カバー６１と胴部カバー６２を相互に接合する際に、密閉容器６の内外で重合して互いに接触する接合面６５ａ，６６ａを有する。この実施の形態では、先端カバー６１の接合端部６５が密閉容器６の内側にあって、その外面が接合面６５ａをなし、胴部カバー６２の接合端部６６が密閉容器６の外側にあって、その内面が接合面６６ａをなし、接合面６５ａの外径と、接合面６６ａの内径とは、略一致して形成されている。なお、各接合端部６５，６６は、たとえば型成形時の抜き勾配の角度が０度のストレートで、かつほぼ同一の内外径にした筒形状に形成して互いの接合を容易にしてある。
【００２２】
接合面６５ａには、その全周に渡って突起６５ｂが無端状に形成され、接合面６６ａには、その全周に渡って溝６６ｂが無端状に形成されている。この突起６５ｂと溝６６ｂとは、接合面６５ａと６６ａが重合した状態で互いに係合される。このように、突起６５ｂおよび溝６６ｂは、互いに係合することによって、先端カバー６１と胴部カバー６２との接合した状態を保持する接合保持手段を構成している。
【００２３】
照明手段７は、図２〜図４に示すように、中央部分に通穴７１ａが設けられた円盤状に形成された照明基板７１の前面（図２中、先端カバー６１側）に設けられた発光ダイオード、たとえば白色ＬＥＤなどの６つの発光体７２と、後面（図２中、撮像基板８１側）に発光体７２を駆動するための回路を構成するチップ部品７４とを備え、発光体７２からの照明光は、先端カバー６１を介して外部に照射される。また、この照明基板７１には、接続された外部機器による所定の試験を実行可能にするたとえば６つの突設された接続端子７３を備えている。これら接続端子７３は、発光体７２間の空隙部分に設けられたパッド上に突出して設けられている。これら接続端子７３は、たとえば無線送信手段２０による無線送信を良好に行うための送信試験を可能にする試験用の接続端子などである。なお、パッドは、照明基板７１の実装面に円形状に露出する導体部分である。また、接続端子としては、上記試験用の端子の他に、たとえば外部電源からの電力を直接的に機能実行手段に供給するための給電用の接続端子や機能実行手段の初期設定値を入力するための入力用の接続端子で構成することも可能である。
【００２４】
撮像手段８は、図２に示すように、円盤状に形成された撮像基板８１と、撮像基板８１の前面（図２中、照明基板７側）に設けられたＣＣＤやＣＭＯＳなどの固体撮像素子８２と、固体撮像素子８２に被写体の像を結像させる結像レンズ８３とを備える。結像レンズ８３は、固体撮像素子８２の前面（図２中、照明基板７側）に設けられており、被写体側に位置して可動枠８４ａに設けられる第１レンズ８３ａと、固体撮像素子８２側に位置して固定枠８４ｂに設けられる第２レンズ８３ｂとから構成される。可動枠８４ａと固定枠８４ｂは、第２レンズ８３ｂを光軸に沿って移動させるピント調整機構８４を構成している。また、可動枠８４ａは、照明基板７の通穴７１ａに挿通しており、結像レンズ８３の光軸を照明基板７の前面に向けている。これにより、撮像手段８は、照明手段７の照明光によって照らされた範囲を撮像することができる。また、撮像基板８１の前面には、固体撮像素子８２を囲む態様で、固体撮像素子８２を駆動するための回路を構成するチップ部品８５が設けられている。
【００２５】
制御手段９は、図２および図３に示すように、ＤＳＰ（ディジタル  シグナル  プロセッサ）９１を有し、ＤＳＰ９１は、撮像基板８１の後面でチップ部品９２に囲まれる態様で設けられている。このＤＳＰ９１は、カプセル型内視鏡３の駆動制御の中枢を司り、固体撮像素子８２の駆動制御および出力信号処理、照明手段７の駆動制御を行う。なお、撮像基板８１の後面のチップ部品９２は、ＤＳＰ９１から出力される映像信号およびクロック信号の２つの信号を、無線送信手段２０から送信するにあたり、１つの信号にミキシングする機能などを有する半導体部材である。
【００２６】
蓄電手段１０は、図２に示すように、酸化銀電池などのボタン型乾電池１３と、円盤形状に形成されたスイッチ基板１１と、リードスイッチ１４およびバイアス磁石１５を有し、スイッチ基板１１の前面（図２中、撮像基板８１側）に設けられるスイッチ部１６と、電源部１８とを備える。ボタン型乾電池１３は、複数個、たとえばこの実施の形態では、２個を直列にして負極キャップ側を後側に向けて配置してある。なお、これら電池１３は、酸化銀電池に限定されるものではなく、たとえば充電式電池、発電式電池などを用いても良く、個数も２個に限定されるものではない。また、スイッチ基板１１の後面には、板バネで形成された接点１７が設けられ、この接点１７は、ボタン型乾電池１３の正極缶に接触して、ボタン型乾電池１３を板バネの付勢力で、後側（図２中、電源基板１２側）に付勢している。
【００２７】
電源部１８は、円盤形状に形成された電源基板１２と、電源基板１２の後面（図２中、後端部６４側）に設けられたＤＣ／ＤＣコンバータ１９を有している。ＤＣ／ＤＣコンバータ１９は、常にシステムに必要な一定の電圧を得るために、ボタン型乾電池１３で得られる電圧をたとえば昇圧などのコントロールを行う。また、図には明示してないが、電源基板１２の前面（図２中、スイッチ基板１１側）には、ボタン型乾電池１３の負極キャップと接触する接点が設けられている。この実施の形態において、蓄電手段１０は、スイッチ基板１１と電源基板１２の間に複数のボタン型乾電池１３を直列に接続配置して各機能実行手段への電源供給を可能にする。
【００２８】
無線送信手段２０は、円筒形状に形成され、かつ内部に空間領域を有する送信基板２１と、送信基板２１の内部に設けられた発振回路２２と、送信基板２１の後面（図２中、後端部６４側）に設けられたアンテナ２３と、接続された外部機器による所定の試験を実行可能にするたとえば６つの突設された接続端子２４とを備える。アンテナ２３は、図２に示すように、送信基板２１の後面に、コイル状に構成されている。この無線送信手段２０は、上記チップ部品９２（半導体部材）でミキシングした信号から一定の周波数・振幅・波形を持つ信号を発振回路２２によって取り出し、この取り出した信号をアンテナ２３からカプセル型内視鏡３の外部に送信する。これら接続端子２４は、図５に示すように、送信基板２１と後述するフレキシブル基板３１の接続部分を避けるように、アンテナ２３の周囲に設けられ、たとえば撮像手段８による体腔内画像の撮像を良好に行うための撮像試験を可能にする接続端子などである。これら接続端子２４は、フレキシブル基板３１との接続部分以外に設けられたパッド上に突出して設けられている。なお、パッドは、送信基板２１の実装面に円形状に露出する導体部分である。また、接続端子としては、上記試験用の端子の他に、たとえば外部電源からの電力を直接的に機能実行手段に供給するための給電用の接続端子や機能実行手段の初期設定値を入力するための入力用の接続端子で構成することも可能である。
【００２９】
照明基板７１、撮像基板８１、スイッチ基板１１、電源基板１２および送信基板２１は、リジット基板からなる。図３に示すように、これらリジット基板は、一連のフレキシブル基板３１をそれぞれ挟む態様で接続されて、リジットフレキ配線基板３２を構成している。すなわち、各リジット基板は、フレキシブル基板３１を介して、照明基板７１、撮像基板８１、スイッチ基板１１、電源基板１２、送信基板２１の順で所定間隔おきに配設され、互いに電気的に接続されている。そして、このリジットフレキ配線基板３２のフレキシブル基板３１を折り曲げることによってリジットフレキ基板構造体をなし、図２に示す態様で、照明基板７１、撮像基板８１、スイッチ基板１１、電源基板１２および送信基板２１は、先端カバー６１側と後端部６４側の前後方向に積層して配置される。
【００３０】
一般には、このフレキシブル基板３１を折り曲げた状態で、リジットフレキ配線基板３２を密閉容器６内に収容するが、この実施の形態では、その前段階の処理として、接続端子を介して、外部機器と機能実行手段を電気的に接続して各種試験処理を行う。ここでは、以下に外部機器と撮像手段８および無線送信手段２０を電気的に接続して行う撮像試験と送信試験について説明する。
【００３１】
図６は、撮像試験を行うための構成を示す構成図であり、図７は、送信試験を行うための構成を示す構成図である。まず、図６では、撮像手段８による体腔内画像の撮像を良好に行うために、なるべく使用時に近い状態で試験を行うのが好ましい。そこで、この実施の形態では、先端カバー６１をリジットフレキ配線基板３２に取り付けた状態でつまり、リジットフレキ基板構造体における照明基板７１を先端カバー６１の内部に収容した状態で、撮像試験を行う。すなわち、先端カバー６１で撮像手段８の先端側を覆い、かつ先端カバー６１から外部に露出した送信基板２１上の接続端子２４に外部機器５０のコネクタ５１を嵌合させて、外部機器５０と撮像手段８を電気的に接続させて、先端カバー６１を介して外部の画像を取り込んで、たとえば色バランスやホワイトバランスの調整などの撮像試験を行う。
【００３２】
この実施の形態では、外部機器５０としては、たとえば表示手段および指示入力手段を有するワークステーションなどを用いる。そして、外部機器５０の指示入力手段によって、接続端子（第１の接続端子）２４に接続された制御線を介して、照明手段７および撮像手段８に駆動指示を与え、次に照明手段７に照明光の出射を指示する。この指示に基づいて、照明手段７からの照明光を先端カバー６１を介して外部に透過することを可能にするとともに、この照明光による外部からの反射光を先端カバー６１を介して内部に透過して、撮像手段８で受光することを可能にする。なお、この場合には、たとえば予め設定された特定パターンの画像を被写体として用意しておくことが好ましい。
【００３３】
撮像手段８で先端カバー６１を介して取り込んだ外部の画像情報を、別の接続端子（第２の接続端子）２４に接続されたデータ線を介して取り込んで、表示手段に表示させる。そして、この表示手段に表示された画像に基づいて、指示入力手段によって、第１の接続端子２４に接続された制御線を介して固体撮像素子８２の上記色バランスやホワイトバランスの調整制御を行うための指示を入力することを可能にする。
【００３４】
また、図７では、無線送信手段２０による画像情報の送信を良好に行うために、撮像試験の場合と同様に、使用時に近い状態で試験を行う。そこで、この実施の形態では、リジットフレキ配線基板３２を胴部カバー６２に収容した状態で送信試験を行う。すなわち、胴部カバー６２の後端部６４でアンテナ２３を含む無線送信手段２０を覆い、かつ胴部カバー６２から外部に露出した照明基板７１上の接続端子７３に外部機器５２のコネクタ５３を嵌合させて、外部機器５２と無線送信手段２０を電気的に接続させて、胴部カバー６２を介して外部に無線送信された擬似画像情報を受信して、たとえば信号送信強度や無線周波数の調整などの送信試験を行う。
【００３５】
この実施の形態では、外部機器５２としては、たとえば無線信号の無線受信手段、表示手段および指示入力手段を有する受信装置などを用いる。そして、外部機器５２の指示入力手段によって、接続端子（第２の接続端子）７３に接続された制御線を介して、無線送信手段２０に駆動指示を与える。次に、外部機器５２は、被検体内の画像情報に対応する擬似画像情報を、接続端子（第２の接続端子）７３に接続されたデータ線を介して、無線送信手段２０に出力し、次に第１の接続端子７３に接続された制御線を介して、この擬似画像情報の無線送信を指示する。この指示に基づいて、無線送信手段２０から胴部カバー６２を介して外部に画像情報を無線送信することが可能となる。なお、この場合には、たとえば被検体内部の画像情報に近い擬似画像情報を無線の送信対象として用意しておくことが好ましい。
【００３６】
外部機器５２では、胴部カバー６２を介して送信された無線送信手段２０からの画像情報を無線受信手段で受信して、表示手段に表示させる。そして、無線受信手段による画像情報の受信状態に基づいて、指示入力手段によって、第２の接続端子７３に接続された制御線を介して発振回路２２の信号送信強度や無線周波数の調整やアンテナの調整などを行うための指示を入力することを可能にする。また、本発明では、接続端子を介して外部装置がボタン型乾電池１３の充電状態の試験などを行うことも可能であり、たとえばボタン型乾電池１３が満充電状態に至っていない場合には、充電装置から給電用の接続端子を介して電力供給を行うことも可能である。さらに、本発明では、接続端子を介して外部装置がたとえば各機能実行手段の初期設定値や再利用の場合の古い設定値のリセットおよび新しい設定値などを入力することも可能である。
【００３７】
なお、上述の実施の形態による接続端子２４，７３は、双方合わせ持っていても良いし、一方のみでも良い。また、これら接続端子２４，７３によって行う動作の試験も、上述のものに限られるものではない。さらに、接続端子２４，７３は、リジットフレキ構造体を収容した先端カバー６１や胴部カバー６２から外部へ露出したリジット基板上に設けられていれば良く、好ましくは、最端部に位置するリジット基板上に設けるのが良い。よって、上述の実施の形態とは異なる順番に各リジット基板を積層した場合には、先端カバー６１や胴部カバー６２から外部に露出するリジット基板であれば、他の機能を担う機能実行手段が設けられた基板上に、接続端子を設けるように構成しても良い。
【００３８】
このように、この実施の形態では、外部機器と照明手段や無線送信手段（第２の機能実行手段）が接続される照明基板や送信基板（第１のリジット基板）に、接続された外部機器による所定の動作の試験を実行可能にするための接続端子を配置したので、リジットフレキ配線基板を重ねた後やリジットフレキ配線基板を外装カバー内に収容した状態においても、外部機器から接続端子へ接触する際に、基板間の間隔を長くする必要性がなくなり、カプセルの大型化を招くことなく、外部機器から接続端子への接触を可能にでき、内蔵物である機能実行手段の設定、動作確認などを行うことが可能となる。
【図面の簡単な説明】
【００３９】
【図１】本発明にかかる被検体内導入装置を含む無線型被検体内情報取得システムの全体構成を示す模式図である。
【図２】本発明にかかる被検体内導入装置の構成を示す側断面図である。
【図３】図１に示したリジットフレキ配線基板を展開した上面図である。
【図４】図１に示した照明基板を前面から見た断面図である。
【図５】図１に示した送信基板を後面から見た断面図である。
【図６】撮像試験を行うための構成を示す構成図である。
【図７】送信試験を行うための構成を示す構成図である。
【符号の説明】
【００４０】
１  被検体
２  受信装置
２ａ  受信ジャケット
２ｂ  外部装置
３  カプセル型内視鏡
４  表示装置
５  携帯型記録媒体
６  密閉容器
７  照明手段
８  撮像手段
９  制御手段
１０  蓄電手段
１１  スイッチ基板（リジット基板）
１２  電源基板（リジット基板）
１３  ボタン型乾電池
１４  リードスイッチ
１５  バイアス磁石
１６  スイッチ部
１７  接点
１８  電源部
１９  コンバータ
２０  無線送信手段
２１  送信基板（リジット基板）
２２  発振回路
２３  アンテナ
２４，７３  接続端子
３１  フレキシブル基板
３２  リジットフレキ配線基板
５０，５２  外部機器
５１，５３  コネクタ
６１  先端カバー
６２  胴部カバー
６３  胴部
６４  後端部
６５，６６  接合端部
６５ａ，６６ａ  接合面
６５ｂ  突起
６６ｂ  溝
７１  照明基板（リジット基板）
７１ａ  通穴
７２  発光体
７４，８５，９２  チップ部品
８１  撮像基板（リジット基板）
８２  固体撮像素子
８３  結像レンズ
８３ａ，８３ｂ  レンズ
８４  ピント調整機構
８４ａ  可動枠
８４ｂ  固定枠
Ａ１〜Ａｎ  受信用アンテナ
【図１】
2006149463.tif 000003
【図２】
2006149463.tif 000004
【図３】
2006149463.tif 000005
【図４】
2006149463.tif 000006
【図５】
2006149463.tif 000007
【図６】
2006149463.tif 000008
【図７】
2006149463.tif 000009